(57)【特許請求の範囲】
【請求項１】
複数の機能部を組付けてなる遊技機において、
前記複数の機能部のうち所定の機能部またはその構成部品には、当該所定の機能部を遊技機から取り外す場合に必要な作業内容に対応した情報を、それに対応付けられた文字・記号・図形又はそれらの組合せからなる標章として表示する表示手段が設けられ、
前記表示手段は、前記所定の機能部を取り外す場合に必要な複数の作業対象箇所のうち他の機能部及び／またはその構成部品の背後に隠れている一部の作業対象箇所に対応付けられた標章を、前記所定の機能部と前記他の機能部及び／またはその構成部品とが遊技機に組み付けられた状態で視認可能な位置に表示することを特徴とする遊技機。
【請求項２】
前記遊技機は、パチンコ機であることを特徴とする請求項１記載の遊技機。
【発明の詳細な説明】
【技術分野】
【０００１】
本発明は、複数の機能部を組み付けてなる、パチンコ機やスロットマシン等の遊技機に関する。
【背景技術】
【０００２】
例えば、パチンコ機は、さまざまな材料で形成された複数の構成部品で構成されている。
【先行技術文献】
【特許文献】
【０００３】
【特許文献１】特開平１１−１１４１５９号公報
【発明の概要】
【発明が解決しようとする課題】
【０００４】
パチンコ機には、さまざまな材料部品から構成された複数の機能部が組み付けられているので、機能部の取り外しに必要な作業の判断が難しい場合が生じ得る。
【０００５】
本発明は、上記事情に鑑みてなされたもので、その目的は、機能部の取り外しに必要な作業を認識し易くすることが可能な遊技機を提供するところにある。
【課題を解決するための手段】
【０００６】
請求項１記載の遊技機は、複数の機能部を組付けてなる遊技機において、前記複数の機能部のうち所定の機能部またはその構成部品には、当該所定の機能部を遊技機から取り外す場合に必要な作業内容に対応した情報を、それに対応付けられた文字・記号・図形又はそれらの組合せからなる標章として表示する表示手段が設けられ、前記表示手段は、前記所定の機能部を取り外す場合に必要な複数の作業対象箇所のうち他の機能部及び／またはその構成部品の背後に隠れている一部の作業対象箇所に対応付けられた標章を、前記所定の機能部と前記他の機能部及び／またはその構成部品とが遊技機に組み付けられた状態で視認可能な位置に表示することを特徴とする。
【発明の効果】
【０００７】
請求項１の構成によれば、機能部の取り外しに必要な作業を認識し易くすることが可能な遊技機を提供することが可能になる。
【図面の簡単な説明】
【０００８】
【図１】本発明の第１実施形態に係るパチンコ機の背面図
【図２】払出制御ユニットの組付け状態を示す斜視図
【図３】封印手段の断面図
【図４】回路基板が取り付けられたケース本体の斜視図
【図５】回路基板の斜視図
【図６】パチンコ機全体縮尺図の拡大図
【図７】第２実施形態の電源ユニット部分の拡大図
【図８】第３実施形態の電源ユニット部分の拡大図
【図９】第４実施形態の電源ユニット部分の拡大図
【発明を実施するための形態】
【０００９】
上記課題を解決するための有効な手段とその作用・効果を以下に示す。
手段１．複数の機能部を組付けてなる遊技機において、
前記複数の機能部のうち所定の機能部のそれぞれには、当該機能部についての解体情報を、それに対応付けられた文字・記号・図形又はそれらの組合せからなる標章として表示する表示手段が設けられていることを特徴とする遊技機。
なお、本手段１でいう「解体情報」には機能部を構成部品毎に分解するための情報だけでなく、機能部自体を遊技機から取り外すための取り外し情報も含まれる。
【００１０】
本手段の構成によれば、各機能部にはそれについての解体情報が標章として表示されているから、この表示内容を見ればその機能部についての作業内容を知ることができ、これによりたとえ熟練された者でなくても他の作業者に聞いたりマニュアル本等を見たりすることなく効率よく解体作業を進めることができる。また、上記解体情報を、それに対応付けた文字や記号等により簡略化した標章で表示することで機能部或いはその構成部品の表示スペースが小さい場合でも多くの情報を表示させることが可能になる。
【００１１】
なお、本発明でいう遊技機とは、パチンコ機やスロットマシン、あるいはパチンコ機とスロットマシンとを融合させたものを含む。パチンコ機の基本構成としては、操作ハンドルを備え、その操作ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球）のみならず、磁気カードへ書き込まれるデータ等も含む）が付与されるものが挙げられる。
【００１２】
また、スロットマシンの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合、遊技媒体は、コイン、メダル等が代表例として挙げられる。
【００１３】
また、パチンコ機とスロットマシンとを融合させたものの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体として球を使用するとともに、前記識別情報の動的表示の開始に際しては所定数の球を必要とし、特別遊技状態の発生に際しては多くの球が払い出されるように構成されたものが挙げられる。
【００１４】
手段２．手段１に記載のものにおいて、前記解体情報は、前記機能部を前記遊技機から取り外すための取り外し情報であるところに特徴を有する。
なお、本構成でいう「取り外し情報」とは、例えば機能部の「組付け手段」、「取り外し方法」や「機能部単位毎の取り外し順序」、また、特に前記遊技機から取り外すための作業対象箇所を複数有するものについては「各作業対象箇所の位置」、「それらの作業順序」、或いは、これらの組合せ等が含まれる。
【００１５】
各機能部或いはその構成部品の表示スペース等の事情により全ての解体情報を表示できない場合もある。そこで、本手段の構成によれば、各機能部にはそれを遊技機から取り外すための取り外し関連情報が表示されているから、この表示内容を見れば各機能部をどのように取り外せばよいかを知ることができ、機能部の取り外し作業が容易になる分、解体作業の効率化を図ることができる。また、機能部の組み付け構成が異なる種々の遊技機に対しても、それらに本願発明を適用させておけば、各種の遊技機について熟知した者でなくても効率良く解体作業を行うことができる。
【００１６】
手段３．手段２に記載のものにおいて、前記機能部のうち、前記遊技機から取り外すための作業対象箇所を複数有するものについて、前記取り外し情報は、それら複数の前記作業対象箇所の位置及びそれらの間の作業順序に関するものであって、前記表示手段は、各作業対象箇所に対応する位置に、前記複数の作業対象箇所の総数、及び、当該作業箇所の作業順位の両方或いはいずれか一方を前記標章して表示するところに特徴を有する。
【００１７】
手段４．手段２又は手段３に記載のものにおいて、前記機能部のうち、前記遊技機から取り外すための作業対象箇所を複数有するものについて、前記取り外し情報は、それら複数の前記作業対象箇所の位置及びそれらの間の作業順序に関するものであって、前記表示手段は、各作業対象箇所に対応する位置に、それより後に作業すべく作業対象箇所の方向を指し示すための指示図を前記標章として表示するところに特徴を有する。
ここで、上記手段３ないし手段４でいう「作業対象箇所に対応する位置」とは、各作業対象箇所に近接した位置だけでなく、例えば機能部全体の縮尺図を表示させ、その縮尺図上での前記各作業対象箇所の対応位置であっても良い。
【００１８】
本手段３の構成によれば、各作業対象箇所に対応する位置にそれぞれ、全作業対象箇所の総数、及び、当該作業箇所の作業順位の両方或いはいずれか一方が標章として表示されている。手段４の構成によれば、当該作業箇所より後に作業すべく作業対象箇所の方向を指し示すための指示図が標章として表示されている。従って、その機能部を取り外すために作業体対象箇所がどこにいくつあるのか、及び、それらの作業対象箇所をどの順番で作業していけば良いかを知ることができる。しかも、例えば作業対象箇所が他の機能部等の背後に隠れている場合であっても上記のような表示を手掛りに当該作業対象箇所の位置を容易に認識することができる。
【００１９】
手段５．手段１に記載のものにおいて、前記複数の機能部のうち、複数の構成部品からなるものについて、前記解体情報は、前記機能部を分解するための分解情報であるところに特徴を有する。
なお、本構成でいう「分解情報」とは、例えば機能部を構成する各構成部品の「組付け手段」、「取り外し方法」、「作業対象箇所の位置」や「それらの作業順序」、或いは、これらの組合せ等が含まれる。
【００２０】
機能部或いはその構成部品の表示スペース等の事情により全ての解体情報を表示できない場合もある。そこで、本手段５の構成によれば、少なくとも前記機能部を分解するための分解情報が表示されているから、この表示内容を見れば少なくとも機能部についてどのように分解すればよいかを知ることができ、機能部の分解作業が容易になる分、解体作業の効率化を図ることができる。
【００２１】
手段６．手段５に記載のものにおいて、前記構成部品のうち作業対象箇所を複数有するものについて、前記分解情報は、それら複数の前記作業対象箇所の位置及びそれらの間の作業順序に関するものであって、前記表示手段は、各作業対象箇所に対応する位置に、前記複数の作業対象箇所の総数、及び、当該作業箇所の作業順位の両方或いはいずれか一方を前記標章して表示するところに特徴を有する。
【００２２】
手段７．手段５又は手段６に記載のものにおいて、前記構成部品のうち作業対象箇所を複数有するものについて、前記分解情報は、それら複数の前記作業対象箇所の位置及びそれらの間の作業順序に関するものであって、前記表示手段は、各作業対象箇所に対応する位置に、それより後に作業すべく作業対象箇所の方向を指し示すための指示図を前記標章として表示するところに特徴を有する。
ここで、上記手段６ないし手段７でいう「作業対象箇所に対応する位置」とは、各作業対象箇所に近接した位置だけでなく、例えば構成部品全体の縮尺図を表示させ、その縮尺図上での前記各作業対象箇所の対応位置であっても良い。
【００２３】
本手段６の構成によれば、各作業対象箇所に対応する位置にそれぞれ、全作業対象箇所の総数、及び、当該作業箇所の作業順位の両方或いはいずれか一方が標章として表示されている。手段７の構成によれば、当該作業箇所の後に作業すべく作業対象箇所の方向を指し示すための指示図が標章として表示されている。従って、その構成部品を分解するために作業体対象箇所がどこにいくつあるのか、及び、それらの作業対象箇所をどの順番で作業していけば良いかを知ることができる。しかも、例えば作業対象箇所が他の機能部等の背後に隠れている場合であっても上記のような表示を手掛りに当該作業対象箇所の位置を容易に認識することができる。
【００２４】
手段８．手段１ないし手段７のいずれかに記載のものにおいて、前記表示手段は、前記機能部或いは構成部品の各作業対象箇所に対して、その作業内容に対応付けられた標章、及び、その標章の表示位置から当該作業対象箇所の方向を指し示すための指示図を表示するところに特徴を有する。
手段９．手段８に記載のものにおいて、前記表示位置は、前記各機能部或いは構成部品が組み付けられた状態で視認可能な位置であるところに特徴を有する。
このような構成によれば、各作業対象箇所の作業内容に対応した標章及び前記指示図は、各機能部或いは構成部品が遊技機に組み付けられた状態で他の機能部等（配線コード等も含む）の背後に隠れないような位置、即ち、組付け状態で視認可能な位置に表示されている。従って、たとえ各作業対象箇所が他の機能部等の背後に隠れて見え辛くなっていても前記標章及び指示図を見れば、それらの作業内容及び存在位置を知ることができ、もって迅速な対処が可能となる。
【００２５】
手段１０．手段１ないし手段９のいずれかに記載のものにおいて、前記表示手段は、前記機能部或いは構成部品の個別縮尺図、及び、各作業対象箇所の、前記個別縮尺図上における位置に、その作業内容に対応付けられた標章を表示するところに特徴を有する。
本手段によれば、個別縮尺図をみれば作業対象箇所の数、それらの位置関係等を一瞬にして把握することができる。
【００２６】
手段１１．手段１ないし手段１０のいずれかに記載のものにおいて、前記複数の機能部或いはそれらの前記構成部品には、再利用可能か否かを識別可能な識別表示手段が設けられているところに特徴を有する。
本手段の構成によれば、複数の機能部或いはそれらの構成部品には、再利用可能か否かを識別可能な識別表示手段が設けられているから、再利用可能であるにもかかわらず廃棄してしまうといった作業ミスを未然に防ぐことができると共に、解体作業の更なる効率化を図ることができる。
【００２７】
手段１２．手段１ないし手段１１のいずれかに記載のものにおいて、前記標章は前記機能部或いは前記構成部品の金型成形により刻印されているところに特徴を有する。
本手段によれば、解体情報に対応付けられた標章は、各機能部或いは各構成部品の金型成形時に刻印される。従って、例えば前記標章をシールに印刷してこれを各機能部等に貼り付ける構成と比較して、例えばある機能部の解体情報が表示されたシールを別の機能部に貼り付けてしまうといったシールの貼り間違いや、当該シールが途中で剥がれ落ちるといった心配がないという点で効果がある。
【００２８】
手段１３．手段１ないし手段１２のいずれかに記載のものにおいて、遊技機の全体構成を全体縮尺図で表示する全体縮尺表示手段を備えているところに特徴を有する。
本手段によれば、全体縮尺表示手段を見れば本遊技機は、いくつの機能部から構成され、それらがどのような配置関係で組み付けられているかを容易に把握することができ、解体作業の効率性を向上させることができる。
【００２９】
手段１４．手段１３に記載のものにおいて、前記全体縮尺図に表示された各機能部には、解体作業が必要か否かを識別可能な識別表示がされているところに特徴を有する。
本手段によれば、上記全体縮尺図を見れば、どの機能部について解体作業が必要かどうか把握することができ、解体作業が不要な機能部について作業をしてしまうといった余分な作業を未然に防ぐことができる。
【００３０】
手段１５．手段１３又は手段１４に記載のものにおいて、前記全体縮尺図に表示された各機能部には、再利用可能か否かを識別可能な識別表示がされているところに特徴を有する。
本手段によれば、上記全体縮尺図を見れば、再利用可能であるにもかかわらず廃棄してしまうといった作業ミスを未然に防ぐことができる。
【００３１】
手段１６．手段１ないし手段１２のいずれかに記載のものにおいて、遊技機全体についての全体解体情報に対応付けられた文字・記号・図形又はそれらの組合せからなる全体標章を貼り付けるための貼り付けスペースが確保されているところに特徴を有する。
なお、本手段でいう「全体解体情報」とは、各機能部について解体作業が必要かどうかや、再利用可能かどうかの識別情報が含まれる。全体標章の一例としては、遊技機全体の全体縮尺図であって、それに描かれた各機能部図に、解体作業が必要か否か、再利用可能か否かの識別表示がされたものがある。
遊技機のなかには、製造後、短期間で回収されて廃棄されるものもあれば、極めて長期間に亘り使用された後に廃棄されるものもある。特に長期間経過したものは、製造時当初は再利用可能とされた機能部であっても、例えば老朽化や新技術への転換等により廃棄時には再利用不可能なものとなっている場合がある。そこで、本手段によれば、貼り付けスペースが確保されている。従って、各機能部について解体作業が必要か否かや、再利用可能な否かが経時的に変化した場合であっても、それに対応した最新の全解体情報の全体標章を貼り付けることができ、もって廃棄時において最適な解体作業を行わせることが可能となる。
【００３２】
＜第１実施形態＞
本発明の第１実施形態について、遊技機のうちパチンコ機を例に挙げて図１ないし図５を参照しつつ説明する。
【００３３】
本実施形態に係るパチンコ機は、遊技盤１２の裏面に、図１に示すように、次述するようにさまざまな機能を有する機能部が複数組み付けられている。
簡単に説明すると、符号１３は球貯留タンクであり、ここからのパチンコ球が誘導樋１４にて整列されつつ球払出装置１５側に導かれ、この球払出装置１５は後述する払出制御ユニット２２からの払出信号を受けて所定の動作を行う。同図において球払出装置１５の左隣には、樹脂製の液晶部カバー１６が遊技盤１２に対して一端側を中心に回動自在に設けられ、その内には、遊技盤１２のおもて面に配された液晶表示部、ランプやスピーカをそれぞれ駆動制御する可変表示装置、ランプ制御ユニット及び音声制御ユニット（いずれも図示せず）が収容されている。
【００３４】
また、前記液晶部カバー１６の下側には、打球発射装置１７を制御する発射制御ユニット１８と、遊技盤１２の上部に設けられた電源供給部１９からの電源を各制御ユニットに適宜供給する電源ユニット２０とが横並びで組み付けられている。更に、それら発射制御ユニット１８及び電源ユニット２０の上半分を覆うように主制御ユニット２１が組み付けられている。この主制御ユニット２１は所定プログラムに基づき各制御ユニットに制御信号を与えてパチンコ機全体の動作を統括的に制御するよう機能する。また主制御ユニット２１の右隣には前記球払出装置１５を制御する払出制御ユニット２２が電源ユニット２０の左側突出部分を覆いつつ組み付けられている。
【００３５】
次に、払出制御ユニット２２を例にとって、その具体的構成について説明する。
払出制御ユニット２２は、図２に示すように、全体として扁平の箱状をなし、合成樹脂製のケース本体２５及びケース蓋部２６からなる保護ケース内に回路基板２７を収容してなる。より詳しくは、ケース本体２５内には、図４に示すように、制御用のＩＣパッケージ２８等の複数の電子部品が実装されると共に他のユニットと信号ケーブルを介して接続される複数のコネクタ部２９を備えた回路基板２７が配置されている。なお、同図では２機のＩＣパッケージ２８及び４つのコネクタ部２９のみ図示してある。
【００３６】
これらのＩＣパッケージ２８は、そこから突出した複数のリードピンを、回路基板２７上に設けられたソケット３０の複数の挿入孔にそれぞれ差し込むことで回路基板２７に対して取付け固定されている。そして、この回路基板２７は、例えば長手方向に沿った一側縁部（図４では右側の側縁部）の両端部分に貫通孔２７Ａ，２７Ａが形成されており、ビス３１，３１を貫通孔内に挿通させつつケース本体２５側に形成されたビス穴（図示せず）に螺合させることでビス締めにより固定されている。
【００３７】
次いで、図２に示すように、ケース本体２５及びケース蓋部２６の長手方向の一側面には相互に係合可能な一対のヒンジ部３２，３２が一体的に形成されている。これにより、ケース蓋部２６がケース本体２５に対して位置決めされつつ回路基板２７を覆うように嵌め合わされている。なお、ケース蓋部２６には、前記４つのコネクタ部２９のそれぞれに対応した位置に開口部が形成されており、ケース本体２５及びケース蓋部２６を嵌め合わせたときには、各コネクタ部２９がケース蓋部２６の各開口部から外部に露出するよう構成されている。
【００３８】
更に、前記ヒンジ部３２，３２が形成された側面とは反対側の側面には、制御ユニットが開封されて回路基板２７が取り外されるといった不正行為を防止すべく、一対の封印手段３３，３３が設けられている。より詳しくは、各封印手段３３は、図３に示すように、ケース本体２５から側方に突出するように形成された本体側封印部３４と、ケース蓋部２６から同じく側方に突出するように形成された蓋部側封印部３５とを備えてなる。本体側封印部３４には上方に開口した凹部３４Ａが形成されると共に、その根元部分に係合溝３４Ｂが形成されている。これに対して、蓋部側封印部３５には、前記凹部３４Ａに対応した位置に上下方向に貫通した挿通孔３５Ａが形成されると共に、その根元部分に係合突起３５Ｂが形成されている。挿通孔３５Ａは上端の開口部が前記凹部３４Ａの開口部より大きめの径をなし、下端に向う途中で段差部３５Ｃを介して前記凹部３４Ａと略同一の径になるよう構成されている。
【００３９】
ケース本体２５とケース蓋部２６とを嵌め合わせる際に、それぞれに設けられた前記係合溝３４Ｂと係合突起３５Ｂとを係合させることで両者の位置決めがより確実なものとなる。そして、この状態で挿通孔３５Ａ及び凹部３４Ａ内に接着剤が流し込まれ、そこに樹脂製の係止ピン３６が差し込まれて、これにより本体側封印部３４と蓋部側封印部３５とが相互に固着され払出制御ユニット２２が封印状態とされている。このように一旦封印されてしまうと、この封印手段３３，３３を破壊等しない限り払出制御ユニット２２を開封することができなくなり上記制御ユニットを開封するといった不正行為を躊躇させ未然防止を図ることができると共に、たとえ不正行為がされたとしても一旦開封された後にはその破壊による亀裂等が残るため不正行為を事後的に発見することができる。
【００４０】
そして、この払出制御ユニット２２は、図２に示すように、遊技盤１２に組み付けられた収容プレート３７内に収容されている。より詳しくは、この収容プレート３７は、払出制御ユニット２２が置かれるベース部３７Ａと、その長手方向の両端で、収容された払出制御ユニット２２の短辺側面を挟み込むように対向する一対の壁面部３７Ｂ，３７Ｂとを一体的に成形してなる樹脂製部材である。また、前記一対の壁面部３７Ｂ，３７Ｂには、払出制御ユニット２２表面のうちヒンジ部３２，３２が形成された側の両端部分を覆うように矩形の接合部３７Ｃ，３７Ｃがそれぞれ突設されている。その接合部３７Ｃ，３７Ｃにはそれぞれ貫通孔が形成されており、その貫通孔内にビス３８，３８を挿通させつつ払出制御ユニット２２表面に形成されたビス穴に螺合することで払出制御ユニット２２が収容プレート３７内に固定されている。
【００４１】
さて、本実施形態に係るパチンコ機の各制御ユニットには、各制御ユニット名と共に、それらをパチンコ機から取り外すための取り外し情報、及び、分解するための分解情報とからなる解体情報が表示されている。
まず、各制御ユニット表面には、図１に示すように、ユニット名の表示位置付近に、それら制御ユニット間での取り外し順序を示す番号を四角形で囲んでなる標章（以下、「ユニット取り外し順標章４０」）が表示されている。より詳しくは、払出制御ユニット２２には「１」、液晶部カバー１６には「２」の番号からなるユニット取り外し順標章４０がそれぞれ表示されている。また、発射制御ユニット１８及び電源ユニット２０は、主制御ユニット２１に対して、その背後に一部が隠れるように重なり合った関係にあるので、主制御ユニットに「３」、発射制御ユニットに「４」、そして電源ユニットに「５」の番号からなるユニット取り外し順標章４０がそれぞれ表示されている。
【００４２】
なお、同図に示す組付け状態では、払出制御ユニット２２、液晶部カバー１６及び主制御ユニット２１は互いに重なり合った関係になくいずれを最初に取り外しても良いが、説明の便宜上、払出制御ユニット２２から順に取り外すよう上記ユニット取り外し順標章４０がそれぞれ表示してある。発射制御ユニット１８及び電源ユニット２０についても同様である。また、上記ユニット名及びユニット取り外し標章４０は、各制御ユニットの保護カバーの金型成形により同時に刻印される。
【００４３】
次に、その他の解体情報について、前述した払出制御ユニット２２を例に挙げて具体的に説明する。
払出制御ユニット２２表面の中央部には、当該払出制御ユニット２２についての解体作業の作業手順の全体が表示されている（以下、これを「全体作業手順表示」）。この払出制御ユニット２２の解体作業は大きく分けて、払出制御ユニット２２を収容プレート３７から取り外すための第１作業、その保護カバーを空けるための第２作業、及び、回路基板２７を分解するための第３作業からなり、前記中央部には、それらに対応した番号を円で囲んでなる標章（以下、「作業順標章４１」）が一列状に表示され、それらの横に各作業内容に対応した標章が表示されている。
【００４４】
このうち第１作業内容については、その作業順標章４１の横にビスを取り外すことを示唆する図形４２が表示されている。
次に第２作業内容については、その作業順標章４１の横に破壊を示唆する図形４３が示されると共に、その作業対象箇所である前記封印手段３３，３３の近傍に同一の作業順標章４１が表示されている。なお、上記第１及び第２の作業の作業順標章４１及び各図形４２，４３についてもやはり保護カバーの金型成形により刻印される。
【００４５】
続いて第３作業内容については、払出制御ユニット２２表面に貼り付けられたシール上に印刷されている。第３作業内容は、ケース本体２５から回路基板２７を取り外すための第１単位作業、及び、回路基板２７からＩＣパッケージ２８を取り外しための第２単位作業（ビス取り外し、電子部品取り外し）からなり、シール上には、それらに対応した番号を括弧で囲んでなる標章（以下、「単位作業順標章４４」）がやはり一列状に印刷され、それらの横に各作業内容に対応した標章４５が印刷されている。
【００４６】
また、払出制御ユニット２２表面には、主として上記第１ないし第３の作業の各作業対象箇所等をそれぞれ指し示すための個別位置表示が、前記作業手順全体表示に比べてやや小さめ表示されている。より詳しくは、第１作業については、その作業順標章４１と同一の標章がその作業対象箇所である前記収容プレート３７の接合部３７Ｃ，３７Ｃ付近にそれぞれ刻印されている。それと共に、それらの作業対象箇所間での作業順位及び全作業対象箇所の総数（この場合、ビスの本数と同じ）とからなる分数表示標章４７が刻印されている（手段３の構成に相当）。
第２作業についても同様に、やはりその作業対象箇所でなる封印手段３３，３３付近に、同第２作業の作業順標章４１と同一の標章、及び、分数表示標章４７が刻印されている（手段６の構成に相当）。
なお、上記各分数表示標章４７と共に、その表示位置から当該作業対象箇所の方向を指し示す指示図（図２では点線矢印４８で示してある）を表示しても良い（手段８の構成に相当）。
第３作業については、上記シール上に印刷された回路基板２７の個別縮尺図４６にてその作業対象箇所を指し示すようにしてある。即ち、この個別縮尺図４６には、第１及び第２の単位作業の作業対象箇所に対応する位置にそれらの単位作業順標章４４がそれぞれ印刷されている（手段１０の構成に相当）。また、個別縮尺図４６上のＩＣパッケージ図はそれらが再利用可能部品であることを示すため例えば黄色く塗られている（手段１１の構成に相当）。
【００４７】
次の上記のように構成されたパチンコ機の解体作業について説明する。各制御ユニットには、それぞれ前記ユニット取り外し順標章４０が刻印されており（図１参照）、それを見ればまず最初に払出制御ユニット２２を取り外せば良いことがわかる。ここで、払出制御ユニット２２表面上において、全体作業手順表示は中央部の目立つ位置に表示され、個別位置表示はそれより小さく表示されているから、作業者は両者間の主従関係が感覚的に把握できる。そして、まず、全体作業手順表示をみて払出制御ユニット２２を解体するための作業内容全体を把握でき、各作業内容の作業順標章４１と同一の標章が付された個別表示の位置を見つけることで、そこが作業対象位置であることを知ることができる。以下、具体的な作業の流れについて説明する。
【００４８】
まず、番号１の作業順標章４１の横の作業内容を示す標章と、接合部３７Ｃ，３７Ｃ付近に表示された同一作業順標章４１とにより、接合部３７Ｃ，３７Ｃに締めつけられたビス３８，３８を取り外せばよいことがわかる。しかも、接合部３７Ｃ，３７Ｃ付近の同一作業順標章４１と共に表示された分数表示をみれば、作業対象箇所の総数（ビス締めの数）と当該作業箇所の順序を知ることができる。ここで、例えば本実施形態のように接合部３７Ｃ，３７Ｃ近傍にコネクタ部２９が配されており、他の制御ユニットからの信号ケーブルにより接合部３７Ｃ，３７Ｃのビス３８が隠れていて見つけ難いことがある。このような場合であっても、本実施形態のように、作業対象箇所から外れた位置に作業順標章４１等を表示させることで、それを手掛りに作業対象箇所を容易に探すことができる。この作業により払出制御ユニット２２を収容プレート３７から取り外すことができる。
【００４９】
次いで、番号２の作業順標章４１の横の作業内容を示す標章と、前記封印手段３３，３３付近に表示された同一作業順標章４１とにより、封印手段３３，３３を破壊すればよいことがわかる。これにより、図４に示すようにケース本体２５とケース蓋部２６とを分離することができる。
【００５０】
そして、ケース蓋部２６表面に表示された番号３の作業順標章４１の横の第１単位作業内容を示す標章及び個別縮尺図４６を確認することで、回路基板２７の一側縁部両端に位置する２本のビス３１，３１を取り外せばよいことがわかり、これにより、ケース本体２５から回路基板２７を取り外すことができる。同様に、第２単位作業内容を示す標章及び個別縮尺図４６を確認することで、回路基板２７上の電子部品のうち２つのＩＣパッケージ２８を取り外せばよいことがわかる（図５参照）。しかもそれらがカラー表示によって再利用可能であることも知ることができ、このようなカラー表示されていない廃棄部品との区別が明確となるため、誤って廃棄してしまうといった作業ミスを防止することができる。
以下、他の制御ユニットについてもユニット取り外し順標章４０の番号順に解体作業を行う。
【００５１】
このように、本実施形態のパチンコ機であれば、別途マニュアル本等を作成することなく、パチンコ機の構成を熟知した者でなくても、各制御ユニットに表示された解体情報を見ればそれらを遊技盤１２から取り外して分解するまでの一連の作業を容易に進めることができ、もって解体作業の効率性及び作業性を高めることができる。
なお、各制御ユニットの解体情報等は、図１に示すように遊技盤１２に組付けられた状態で視認可能な位置に配するのが望ましい。どこにどのユニットがあり、どのように解体作業を行うのかということを予め知ることができ、更に解体作業の効率化を図ることができるからである。
【００５２】
また、本実施形態の構成に加えて、パチンコ機の背面構成全体の全体縮尺図を表示する構成であっても良い（手段１３の構成に相当）。具体的には、例えば一番目立つ液晶部ケース１６表面の中央位置（図１において二点鎖線で囲まれた部分）に、図６に示すようなパチンコ機の背面構造を模式化した全体縮尺図３９が印刷されたシールを貼り付ける構成であっても良い。更に全体縮尺図３９のうち、本実施形態において解体作業を行うべき払出制御ユニット２２、液晶部ユニット１６、主制御ユニット２１、発射制御ユニット１８及び電源ユニット２０の各図だけ所定の色が塗られており、解体が不要な他の機能部と区別できるようになっている（手段１４の構成に相当）。
このような構成であれば、本実施形態に係るパチンコ機の解体作業にあたり、各機能部の配置関係を一見して把握することができると共に、いくつの機能部について作業をすべきかを容易に知ることができ、解体作業の更なる効率性・作業性を向上させることができる。
なお、上記全体縮尺図３９は、パチンコ機の製造時に液晶部カバー１６に刻印されている構成であっても、全体縮尺図３９が印刷されたシールを貼り付ける構成であっても良い。更に、例えば図１の二点鎖線で囲まれたスペース３９を貼り付けスペースとして、そこに最新の全体解体情報に対応した全体縮尺図３９を貼り付けられるようにした構成でも良い（手段１６の構成に相当）。パチンコ機の各機能部のなかには、長期間使用されて製造時当初は再利用可能であったものが途中で再利用不可能となる場合があり、上記構成であれば、このような再利用可能対象の経時的変化に対応した最新の解体情報をパチンコ機に表示させることが可能となる。
【００５３】
＜第２実施形態＞
上記第１実施形態では、各制御ユニットにはユニット取り外し順標章４０が表示され、この番号順に取り外し作業を進める構成としたが、本実施形態では、各制御ユニットには前記ユニット取り外し順標章４０を表示していない。こうした場合、各制御ユニットをどの順で取り外せば良いかわかりにくい。例えば図７に示すように、電源ユニット２０は、全４本のビスＢ１〜Ｂ４で遊技盤１２に組み付けられており、そのうちの２本のビスＢ３，Ｂ４が他の制御ユニットの背後に隠れている。こうした場合、作業者は、目に見える２本のビスＢ１，Ｂ２だけを外せば当該電源ユニットを取り外せると誤って判断し、この２本のビスＢ１，Ｂ２を外した後に無理やり引き引き抜いて破壊してしまうなどのおそれがある。本実施形態では、このように各制御ユニットに前記ユニット取り外し順標章４０が表示されていなくても無理なく効率良く解体作業を進めることを可能とするためのものである。なお、第１実施形態と同一構成部分については同一符号を付して重複する説明を省略し、異なるところのみを次に説明する。
【００５４】
本実施形態では、図７に示すように、電源ユニット２０表面上の前記４本のビスＢ１〜４の近傍に、作業対象箇所の総数（本実施形態ではビスの総数４本）及び当該作業対象箇所の作業順の番号がそれぞれ分数表示標章５０として刻印されている。また、ビスＢ２の近傍には、隠れている２本のビスＢ３，Ｂ４の取り付け位置（作業対象箇所）の方向を指し示す白抜き矢印５１が刻印されている（手段４の構成に相当）。従って、上記分数表示標章５０によって、まず見えているビスＢ１，Ｂ２を取り外せば良いこと、及び、これらの他に外すべきビスが２本存在することを知ることができる。また、Ｂ２付近の白抜き矢印５１により残りの２本のビスＢ３，Ｂ４が存在する位置の方向を知ることができ、制御ユニット２１を先に取り外すべきことを知ることができる。従って、電源ユニット２０を無理やり引き抜くといった作業ミスや、主制御ユニット２１より払出制御ユニット２２を優先して取り外すといった遠回りな作業ミスを防止し、効率良く特定の機能部の取り外しが可能となる。
【００５５】
＜第３実施形態＞
本実施形態も、前記第２実施形態と同様の問題に対処するためのものであり、上記第２実施形態とは、解体情報の表示態様が異なる。
図８に示すように、電源ユニット２０表面のうち露出した部分に、主制御ユニット２１の背後に隠れている２本のビスＢ３，Ｂ４について分数表示標章６０と、その各表示位置から作業対象箇所である各ビスＢ３，Ｂ４の取付け位置の方向を指示するための白抜き矢印６１とが表示されている（手段９の構成に相当）。このような構成であれば、たとえ作業対象箇所が他の機能部等の背後に隠れていても、視認可能な位置に表示された前記分数表示標章６０及び白抜き矢印６１を見れば、当該作業対象箇所の作業内容及び存在位置を知ることができ、やはり電源ユニット２０の取り外し作業の効率性を向上させることができる。
【００５６】
＜第４実施形態＞
本実施形態も、前記第２実施形態と同様の問題に対処するためのものであり、上記第２実施形態とは、解体情報の表示態様が異なる。
図９に示すように、電源ユニット２０表面のうち露出した部分に、作業内容を示す標章５２、作業工数５３、及び、当該電源ユニット２０の個別縮尺図５４が表示されており、この個別縮尺図５４において各作業対象箇所の位置を指し示すよう構成されている（手段１０の構成に相当）。
このような構成であれば、上記個別縮尺図５４を見れば即座に全ビスの位置関係を明確に把握することができ、より解体作業の効率性を向上させることが可能となる。
【００５７】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内種々変更して実施することができる。
（１）上記各実施形態では、解体情報は、特に解体作業が困難となり得る各制御ユニット（本発明の「所定の機能部」に相当）のみに表示した構成としたが、これに限らず、球貯留タンク１３その他の機能部に表示する構成であっても良い。
【００５８】
（２）上記第１実施形態では、第３作業内についてはシールを貼り付けて表示し、その他の各種の標章についてはケース蓋部２６に刻印する構成としたが、いずれの表示手段であっても良い。
【００５９】
（３）上記第１実施形態では、制御ユニットの取り外し情報（第１作業内容）及びそれらの分解情報（第２及び第３作業内容）を表示する構成としたが、これに限らず、表示スペース等の事情を考慮していずれか一方だけを表示する構成であっても良い（手段２又は手段５に相当する構成）。
【００６０】
（４）上記第１実施形態では、「再利用可能か否かを識別可能な識別表示手段」として回路基板２７の個別縮尺図４６上に描かれたＩＣパッケージ図を黄色く塗って他の電子部品と色分けする構成としたが、色分けに限らず、再利用可能或いは廃棄の旨を示す標章で識別表示する構成であっても良い。また、ＩＣパッケージ２８の構成部品や機能部自体を色分けしたり、前記識別用の標章を付す構成であっても良い。
【符号の説明】
【００６１】
１２...遊技盤
１８...発射制御ユニット
２０...電源ユニット
２１...主制御ユニット
２２...払出制御ユニット
２５...ケース本体
２６...ケース蓋部
２７...回路基板
２８...ＩＣパッケージ
３３...各封印手段
３９...全体縮尺図
４０，４１，４２，４３，４４，４７，４８，５０，５１，５２，５３，６０，６１...各種標章
４６，５４...個別縮尺図
【図１】
0005708694.tif 000002
【図２】
0005708694.tif 000003
【図３】
0005708694.tif 000004
【図４】
0005708694.tif 000005
【図５】
0005708694.tif 000006
【図６】
0005708694.tif 000007
【図７】
0005708694.tif 000008
【図８】
0005708694.tif 000009
【図９】
0005708694.tif 000010